(57)【要約】【課題】冷蔵庫の機能性及び使用の便宜性を向上させ、情報の活用性を増大させることで、使用者の生活の質を向上させることができる冷蔵庫を提供する。【解決手段】生活情報を受信する受信ユニットと；前記生活情報から使用者が望む情報を判断する制御ユニットと；前記使用者が望む情報を外部に表示する表示ユニットと；を含んで冷蔵庫を構成する。【選択図】図２
2008546981.tif 000002
【特許請求の範囲】
【請求項１】
生活情報を受信する受信ユニットと；
前記生活情報から使用者が望む情報を判断する制御ユニットと；
前記使用者が望む情報を外部に表示する表示ユニットと；を含んで構成されることを特徴とする冷蔵庫。
【請求項２】
前記生活情報は、天気に関する情報を含むことを特徴とする請求項１に記載の冷蔵庫。
【請求項３】
前記天気に関する情報は、未来の気象情報を含むことを特徴とする請求項２に記載の冷蔵庫。
【請求項４】
前記生活情報は、使用者が選択可能な未来の特定の期日に対する情報または特定の期間に対する情報を含むことを特徴とする請求項２に記載の冷蔵庫。
【請求項５】
前記生活情報は、天気に関する情報及び前記天気に関する情報に対応する食品に関する情報を含むことを特徴とする請求項１に記載の冷蔵庫。
【請求項６】
前記食品に関する情報は、前記食品の価格情報を含むことを特徴とする請求項５に記載の冷蔵庫。
【請求項７】
前記受信ユニットは、外部ネットワークの有線または無線通信を通して生活情報を受信することを特徴とする請求項１に記載の冷蔵庫。
【請求項８】
前記受信ユニットは、
アンテナと；
前記アンテナを通して受信された電波から生活情報を受信する受信モジュールと；を含んで構成されることを特徴とする請求項１乃至７に記載の冷蔵庫。
【請求項９】
前記アンテナの一側は、前記受信モジュールに連結され、他側は、冷蔵庫のドアの上部外側に突出されることを特徴とする請求項８に記載の冷蔵庫。
【請求項１０】
前記アンテナは、冷蔵庫の上面に備わったドア用ヒンジを通して外側に突出されることを特徴とする請求項８に記載の冷蔵庫。
【請求項１１】
前記ヒンジには、前記アンテナが貫通されるホールが形成されることを特徴とする請求項１０に記載の冷蔵庫。
【請求項１２】
前記受信モジュールは、冷蔵庫の制御ユニットと端子結合方式によって互いに接続されることを特徴とする請求項８に記載の冷蔵庫。
【請求項１３】
前記受信ユニットは、冷蔵庫の本体一側に着脱可能に設置されることを特徴とする請求項１に記載の冷蔵庫。
【請求項１４】
前記受信ユニットから受信された生活情報、及び前記生活情報に対応する情報が保存される保存ユニットをさらに含んで構成されることを特徴とする請求項１に記載の冷蔵庫。
【請求項１５】
前記生活情報に対応する情報は、アバター情報であることを特徴とする請求項１４に記載の冷蔵庫。
【請求項１６】
前記生活情報に対応する情報は、地域情報であることを特徴とする請求項１４に記載の冷蔵庫。
【請求項１７】
前記生活情報に対応する情報を入力するための入力ユニットをさらに含んで構成されることを特徴とする請求項１に記載の冷蔵庫。
【請求項１８】
前記表示ユニットは、前記使用者が望む情報を文字で表示することを特徴とする請求項１に記載の冷蔵庫。
【請求項１９】
前記表示ユニットは、前記使用者が望む情報をアバターで表示することを特徴とする請求項１に記載の冷蔵庫。
【請求項２０】
前記表示ユニットは、前記使用者によって選択された情報のみを表示することを特徴とする請求項１に記載の冷蔵庫。
【発明の詳細な説明】
【技術分野】
【０００１】
本発明は、冷蔵庫に関するもので、より詳細には、天気に関する情報などを含む多様な生活情報を提供し、冷蔵庫の機能、使用の便宜性及び効率性を向上できる冷蔵庫に関するものである。
【背景技術】
【０００２】
従来の冷蔵庫は、現在状態に関する情報を提供するか、作動を制御するために、ドアの外側面にコントロールパネルを備えており、前記コントロールパネルには、ＬＣＤ窓などの表示部と、各種ボタンなどの入力部とを備えている。
【０００３】
前記表示部は、冷凍室の庫内温度、冷蔵室の庫内温度及びディスペンサーのサービス状態（例えば、水を供給しているか、氷を供給しているかなど）などの冷蔵庫の現在状態を表示する。
【０００４】
したがって、使用者は、前記表示部を通して冷蔵庫の状態を把握することができる。
【０００５】
前記入力部は、使用者が冷蔵庫の作動を所望の状態にするように、冷凍室の庫内温度、冷蔵室の庫内温度またはディスペンサーのサービス状態を設定するために提供される。
【０００６】
したがって、使用者は、前記入力部を通して冷凍室の庫内温度、冷蔵室の庫内温度またはディスペンサーのサービス状態を設定または変更することができる。
【０００７】
図１は、従来技術に係る冷蔵庫のコントロールパネルの構成を概略的に示している。
【０００８】
前記コントロールパネルに備わった表示部は、ＬＣＤ窓で構成され、ディスペンサーのサービス形態（角氷、水、氷片）、冷凍室の設定温度、冷蔵室の設定温度などを表示する。
【０００９】
そして、前記コントロールパネルに備わった入力部は、ディスペンサーボタン、冷凍温度ボタン、冷蔵温度ボタンなどの各種ボタンで構成され、前記各ボタンを操作することで、ディスペンサーのサービス形態、冷凍室の温度、冷蔵室の温度などを設定または変更することができる。
【発明の開示】
【発明が解決しようとする課題】
【００１０】
しかしながら、従来技術に係る冷蔵庫は、現在状態などを含む内部情報を使用者に提供するだけで、その他の多様な外部情報を提供することができない。
【００１１】
例えば、通常、使用者は、冷蔵庫が備わった台所で仕事をしながら、天気に関する情報を必要とする場合、台所以外の空間に備わったＴＶまたはラジオなどの他の媒体を通して情報を取得するしかないので、煩雑でかつ効率的でないという問題点があった。
【００１２】
本発明は、上記のような従来の問題点を解決するためのもので、その目的は、冷蔵庫の機能性及び使用の便宜性を向上させ、情報の活用性を増大させることで、使用者の生活の質を向上させることができる冷蔵庫を提供することにある。
【課題を解決するための手段】
【００１３】
上記の目的を達成するための本発明の一形態では、生活情報を受信する受信ユニットと；前記生活情報から使用者が望む情報を判断する制御ユニットと；前記使用者が望む情報を外部に表示する表示ユニットと、を含んで構成される冷蔵庫を提供する。
【００１４】
ここで、前記生活情報は、天気に関する情報を含み、前記天気に関する情報は、未来の気象情報を含む。
【００１５】
そして、前記生活情報は、使用者が選択可能な未来の特定の期日に対する情報または特定の期間に対する情報を含むこともできる。
【００１６】
また、前記生活情報は、天気に関する情報及び前記天気に関する情報に対応する食品に関する情報を含むこともできる。
【００１７】
このとき、前記食品に関する情報は、前記食品の価格情報を含むことが好ましい。
【００１８】
一方、前記受信ユニットは、外部ネットワークの有線または無線通信を通して生活情報を受信することができ、このために、前記受信ユニットは、アンテナと；前記アンテナを通して受信された電波から生活情報を受信する受信モジュールと；を含んで構成され、冷蔵庫の本体一側に着脱可能に設置される。
【００１９】
ここで、前記アンテナの一側は、前記受信モジュールに連結され、他側は、冷蔵庫のドアの上部外側に突出されることが好ましい。
【００２０】
このとき、前記アンテナは、冷蔵庫の上面に備わったドア用ヒンジを通して外側に突出され、前記ヒンジには、前記アンテナが貫通されるホールが形成される。
【００２１】
また、前記受信モジュールは、冷蔵庫の制御ユニットと端子結合方式によって互いに接続される。
【００２２】
一方、前記冷蔵庫は、前記受信ユニットから受信された生活情報、及び前記生活情報に対応する情報が保存される保存ユニットをさらに含んで構成される。
【００２３】
このとき、前記生活情報に対応する情報は、アバター情報または地域情報である。
【００２４】
また、前記冷蔵庫は、前記生活情報に対応する情報を入力するための入力ユニットをさらに含んで構成される。
【００２５】
一方、前記表示ユニットは、前記使用者が望む情報を文字またはアバターで表示することができ、前記表示ユニットは、前記使用者によって選択された情報のみを表示することが好ましい。
【発明の効果】
【００２６】
本発明に係る冷蔵庫には、次のような効果がある。
【００２７】
第一に、冷蔵庫の機能性を向上させるという利点がある。
【００２８】
第二に、使用者に多様な生活情報を提供し、使用者の便宜性及び効率性を向上させるという利点がある。
【００２９】
第三に、情報の効率性を増大させるという利点がある。
【００３０】
第四に、使用者の経済性を向上させ、生活の質を高められるという利点がある。
【発明を実施するための最良の形態】
【００３１】
以下、上記の目的が具体的に実現される本発明の実施例を、添付された図面を参照して説明する。各実施例を説明するにおいて、本発明で提示される冷蔵庫１０は、ディスペンサーが備わった両門型冷蔵庫１０をその実施例とする。もちろん、本発明で提示される冷蔵庫１０は、ディスペンサーが除外された一般的な冷蔵庫１０を含む。
【００３２】
まず、図２〜図７を参照して、本発明に係る冷蔵庫１０の第１実施例を説明する。
【００３３】
図２及び図３に示すように、本発明に係る冷蔵庫１０の第１実施例は、生活情報を受信する受信ユニット１１０と、前記受信ユニット１１０から受信された生活情報及び前記生活情報に対応する情報が保存される保存ユニット１２０と、前記保存ユニット１２０に前記生活情報に対応する情報を入力するための入力ユニット１３０と、前記生活情報から使用者が望む情報を判断する制御ユニット１４０と、前記使用者が望む情報を外部に表示する表示ユニット１５０とを含んで構成される。
【００３４】
ここで、前記受信ユニット１１０は、外部ネットワークの有線通信を通して生活情報を受信できるように構成される。すなわち、前記冷蔵庫１０の受信ユニット１１０は、インターネットなどのネットワーク２０を通して生活情報を提供する外部サーバー３０と有線通信で連結され、データ通信をする。ここで、前記インターネット２０は、インターネットサービス供給者（ＩＳＰ）及び物理的なケーブルなどを全て含む総括的な通信手段である。より詳細に、前記受信ユニット１１０は、前記インターネットなどのネットワーク２０と連結される一種の通信ポートとして、例えば、モデムなどの機器であり、前記外部サーバー３０は、天気に関する情報を提供する天気予報サーバー及び食品に関する情報を提供する食品情報サーバーなどのように、生活情報を提供する機器である。
【００３５】
一方、前記外部サーバー３０の実施例のうち天気予報サーバーが提供する生活情報は、主に天気に関する情報として、未来の気象情報、未来の特定の期日に対する情報または特定の期間に対する情報を含む。すなわち、前記天気予報サーバーは、気象衛星及びレーダー、自動気象観測資料、数値予報モデル資料などを通して天気予報情報を生成し、インターネット２０を通して接続された前記受信ユニット１１０に前記生成された情報を提供する。ここで、前記天気予報情報は、未来の数日後、数時間後の短期的な天気予報であるか、または、未来の数週後、数ケ月後の長期的な天気予報である。そして、前記天気予報情報は、地域または国家別天気予報でもある。また、前記天気予報情報は、指定された日に対する天気予報または指定された期間の間に対する天気予報でもある。
【００３６】
そして、前記外部サーバー３０の実施例のうち食品情報サーバーが提供する生活情報は、主に、前記天気予報サーバーが提供する天気に関する情報に対応する食品に関する情報として、食品の価格情報を含むことが好ましい。例えば、前記食品情報サーバーは、所定の気温または季節に人が摂取すべき食物または食品（特に、果物など）などの情報を生成し、インターネット２０を通して接続された前記受信ユニット１１０に前記生成された情報を提供する。ここで、前記食品に関する情報は、少なくとも所定の食品名称を含み、食品の価格、調理法及び保管法などを含むことができる。このとき、前記食品の価格に関する情報は、食物または食品がどの気温、どの季節にどれだけの価格で売買されたか、または、現在の概略的な売買価格などに関する情報を含むことが好ましい。前記食品に関する情報は、前記食品情報サーバーから提供されるか、または、冷蔵庫１０の製造時に製造者によって予め提供される。結局、前記受信ユニット１１０は、インターネット２０を通して前記外部サーバー３０に接続され、前記外部サーバー３０から各種の生活情報を受信し、その情報が前記保存ユニット１２０に保存される。
【００３７】
一方、前記保存ユニット１２０には、前記受信ユニット１１０を通して受信された生活情報及び前記生活情報に対応する情報が保存される。このとき、前記生活情報に対応する情報は、使用者が選択可能な未来の特定の期日に対する情報または特定の期間に対する情報を含む。例えば、使用者が冷蔵庫１０の作動を制御するために、または、受信される情報の種類を選択するために、前記入力ユニット１３０を通して入力する情報を保存することができる。また、前記生活情報に対応する情報は、使用者が選択可能なアバター情報または地域情報である。例えば、使用者が望むアバターの種類を選択するために、または、使用者が必要とする地域を選択するために、前記入力ユニット１３０を通して入力する情報を保存することができる。
【００３８】
そして、前記入力ユニット１３０は、前記生活情報に対応する情報、すなわち、使用者が必要とする情報を入力するために提供される。すなわち、図４に示すように、前記入力ユニット１３０は、各種方式のボタンで構成される、したがって、使用者は、取得しようとする情報に該当するボタンを選択し、前記受信ユニット１１０から受信された生活情報のうち所望の生活情報のみを取得することができる。もちろん、前記入力ユニット１３０は、タッチパッド方式などのように、前記ボタンと異なる多様な方式で構成されることもある。
【００３９】
そして、前記制御ユニット１４０は、前記受信ユニット１１０から受信されて前記保存ユニット１２０に保存された生活情報のうち、使用者が前記入力ユニット１３０を通して要請した情報を判断し、前記要請された情報を前記表示ユニット１５０を通して外部に表示する。すなわち、前記制御ユニット１４０は、前記保存ユニット１２０に保存された生活情報のうち使用者が要請した情報を抽出し、抽出された情報が前記表示ユニット１５０を通して外部に表示されるようにする。一方、前記制御ユニット１４０は、使用者の要請がない場合は、前記保存ユニット１２０に保存された生活情報のうち、以前に使用者が要請した情報が前記表示ユニット１５０を通して自動的に外部に表示されるようにする。
【００４０】
そして、前記表示ユニット１５０は、前記使用者が望む情報を外部に表示する。すなわち、前記表示ユニット１５０は、前記保存ユニット１２０に保存された生活情報のうち、使用者の要請で前記制御ユニット１４０によって抽出された情報を外部に表示する。このとき、前記表示ユニット１５０は、前記制御ユニット１４０を通して使用者が要請した情報のみを表示することもでき、使用者の要請がない場合は、その前に使用者が要請した情報を自動的に表示することもできる。一方、前記表示ユニット１５０は、ＬＣＤ窓などの表示部１５１で構成されるか、または、ＴＶモニターまたはコンピュータモニターなどの別途のディスプレイ装置で構成される。
【００４１】
一方、前記表示ユニット１５０及び入力ユニット１３０は、図４に示すように、便宜上、一つのコントロールパネルに同時に備わることが好ましい。そして、前記表示ユニット１５０は、使用者が要請した情報をＬＣＤ窓などの表示部１５１を通して文字で表示することもでき、使用者が要請した情報に対応するアバターで表示することもできる。例えば、使用者が要請した情報が今日の天気に関する情報で、今日の天気が急激な温度下降で寒い場合は、図５に示すように、アバターのキャラクターがマスクを着けて身震いしている形状に構成することができる。そして、今日の天気が急激な温度上昇で蒸し暑い場合は、アバターのキャラクターがうちわを扇ぐか、水着などの薄い服を着ている形状に構成することもでき、図６に示すように、太陽がサングラスをかけている形状に構成することもできる。
【００４２】
以下、上記のように構成された本発明に係る冷蔵庫１０の第１実施例において、生活情報を表示する過程を、図７を参照して概略的に示す。
【００４３】
前記冷蔵庫１０が作動すると、前記受信ユニット１１０は、インターネットなどのネットワーク２０を通して天気予報サーバー及び食品情報サーバーなどの外部サーバー３０から天気に関する情報及び食品に関する情報などの生活情報を受信する。
【００４４】
前記受信ユニット１１０を通して受信された生活情報は、前記保存ユニット１２０に実時間で保存される。
【００４５】
上記のような過程中に、使用者が前記入力手段を通して必要とする情報を入力すると、前記制御ユニット１４０は、前記保存ユニット１２０に保存された生活情報から使用者が要請した情報を抽出する。
【００４６】
そして、前記制御ユニット１４０は、前記抽出された生活情報を前記表示ユニット１５０を通して文字またはアバターなどで外部に表示し、使用者に生活情報を提供する。
【００４７】
したがって、使用者は、冷蔵庫１０から必要とする各種の生活情報を受け、その情報を生活に多様に活用することができる。
【００４８】
例えば、使用者が天気に関する情報を要請すると、制御ユニット１４０は、受信ユニット１１０を通して受信されて保存ユニット１２０に保存された生活情報のうち天気に関する情報を判断して抽出し、これを表示ユニット１５０を通して使用者に提供する。上記のように使用者に提供された情報が１週間後に梅雨が始まるという情報である場合、使用者は、入力ユニット１３０を通して、以前の梅雨期間の食品（特に、野菜など）に対する価格情報を要請することができる。そうすると、前記制御ユニット１４０は、保存ユニット１２０に保存された生活情報のうち食品に対する情報及び価格に対する情報を抽出し、これを表示ユニット１５０を通して使用者に提供する。したがって、使用者は、これを食品購買に活用することで、経済的な購買活動を行うことができる。もちろん、上記のような例は、単純な実施例に過ぎなく、使用者の意図、趣向などの多様な要求に合わせて一層多様でかつ便利に実生活に応用することができる。
【００４９】
以下、図８〜図１３を参照して、本発明に係る冷蔵庫１０の第２実施例を説明する。
【００５０】
図８及び図９に示すように、本発明に係る冷蔵庫１０の第２実施例は、上記の第１実施例と同様に、受信ユニット２１０、保存ユニット１２０、制御ユニット１４０、入力ユニット１３０、及び表示ユニット１５０を含んで構成される。
【００５１】
しかしながら、前記２実施例に係る冷蔵庫１０は、上記の第１実施例とは異なって、無線通信を通して生活情報を受信し、使用者に各種の生活情報を提供する。
【００５２】
より詳細に説明すると、図１０に示すように、前記第２実施例の受信ユニット２１０は、放送装置から電波を受信するアンテナ２１１と、前記アンテナ２１１を通して受信された電波から生活情報を受信する受信モジュール２１３とを含んで構成される。
【００５３】
ここで、前記アンテナ２１１は、電波を効率的に受信するために、冷蔵庫１０の上方に突出されるように構成されることが好ましい。すなわち、前記アンテナ２１１の一側は、前記受信モジュール２１３に連結され、他側は、冷蔵庫１０のドア１１の上部外側に突出される。このとき、前記アンテナ２１１の他側は、冷蔵庫１０の上面に備わったドア用ヒンジ５０を通して外側に突出されることが好ましい。すなわち、前記アンテナ２１１の一側は、前記ドア１１の内側に備わった受信モジュール２１３に連結され、前記アンテナ２１１の他側は、前記ドア１１の内側に沿ってドア１１の上側に延長され、前記ドア用ヒンジ５０を通して外側に露出される。
【００５４】
前記ドア用ヒンジ５０を通して冷蔵庫１０の上方に突出された前記アンテナ２１１の設置構造をより詳細に説明すると、前記ドア用ヒンジ５０は、ドア１１のヒンジホール１１ａに結合される貫通管５１ａを有する固定板５１と、前記アンテナ２１１の他側を保護するとともに、終端を露出させるための露出口５２ａを有するヒンジカバー５２とを含んで構成される。
【００５５】
前記固定板５１は、前記貫通管５１ａが前記ドア１１のヒンジホール１１ａに結合された状態で、前記ドア１１に対応する冷蔵庫１０の上面に固定される。そして、前記ヒンジカバー５２は、前記固定板５１の上側に固定される。そうすると、前記アンテナ２１１の他側は、前記固定板５１の貫通管５１ａを通して冷蔵庫１０の上方に突出され、その終端は、前記ヒンジカバー５２の露出口５２ａを通して外部に露出される。
【００５６】
一方、図１１に示すように、前記制御ユニット１４０は、各種の電子部品が備わった印刷回路基板で構成される。そして、前記印刷回路基板には、前記受信ユニット２１０の受信モジュール２１３と、各種方式のボタンからなる入力ユニット１３０と、ＬＣＤ窓などの表示部１５１を有する表示ユニット１５０とが設置される。
【００５７】
ここで、前記受信モジュール２１３は、前記印刷回路基板と端子結合方式によって互いに接続されて結合される。すなわち、前記印刷回路基板には、雄端子形態のプラグコネクター１４０ａが備わり、前記受信モジュール２１３には、雌端子形態のソケットコネクター２１３ａが備わる。そして、前記ソケットコネクター２１３ａが前記プラグコネクター１４０ａに結合されることで、前記受信モジュール２１３が前記印刷回路基板に接続されて結合される。
【００５８】
一方、前記印刷回路基板からなる制御ユニット１４０の前面には、各種部品の保護及び維持補修のために外装材１６０が付着されることもある。すなわち、図１０を参照すると、前記印刷回路基板の前面にガラス材質などの透明材質からなる外装材１６０を設置し、前記印刷回路基板に備わった受信モジュール２１３、入力ユニット１３０及び表示ユニット１５０の前面を塞ぎ、前記制御ユニット１４０の前面外観をなすこともできる。このとき、前記外装材１６０は、使用者が前記入力ユニット１３０を操作できるように、入力ユニット１３０を外部に露出させ、美観上、表示ユニット１５０を除外した部分は非透明材質で形成することが好ましい。
【００５９】
一方、上記のように構成された本発明に係る冷蔵庫１０の第２実施例において、使用者に生活情報を提供する過程は、前記第１実施例と類似しているので、それに対する説明は省略する。
【００６０】
以上、各実施例が説明されたが、本発明がその趣旨及び範疇から逸脱しない範囲で他の多様な形態で具体化される事実は、該当技術に通常の知識を有する者にとって自明である。したがって、上述した実施例は、制限的なものでなく、例示的なものとして見なされるべきで、添付された特許請求の範囲及びその同等範囲内の全ての実施例は、本発明の範疇内に含まれる。
【産業上の利用可能性】
【００６１】
第一に、本発明に係る冷蔵庫によると、使用者に多様な生活情報を提供し、冷蔵庫の機能性を向上させるという利点がある。
【００６２】
第二に、本発明に係る冷蔵庫によると、使用者に多様な生活情報を提供し、使用者の便宜性及び効率性を向上させるという利点がある。
【００６３】
第三に、本発明に係る冷蔵庫によると、使用者に多様な生活情報を提供し、情報の効率性を増大させるという利点がある。
【００６４】
第四に、本発明に係る冷蔵庫によると、使用者に多様な生活情報を提供し、使用者が経済的な購買をするように助けて経済性を向上させ、生活の質を向上させるという利点がある。
【図面の簡単な説明】
【００６５】
【図１】従来技術に係る冷蔵庫のコントロールパネルを概略的に示した構成図である。
【図２】本発明に係る冷蔵庫の第１実施例を概略的に示したブロック図である。
【図３】本発明に係る冷蔵庫の第１実施例を概略的に示した正面図である。
【図４】図３の冷蔵庫を構成する表示ユニットと入力ユニットを概略的に示した正面図である。
【図５】図３の表示ユニットを通して表示されるアバターの実施例を概略的に示した正面図である。
【図６】図５のアバターの他の実施例を概略的に示した正面図である。
【図７】図３の冷蔵庫において、生活情報を表示する過程を概略的に示したフローチャートである。
【図８】本発明に係る冷蔵庫の第２実施例を概略的に示したブロック図である。
【図９】本発明に係る冷蔵庫の第２実施例を概略的に示した正面図である。
【図１０】図９の冷蔵庫を構成する主要ユニットを概略的に示した斜視図である。
【図１１】図９の冷蔵庫を構成する受信ユニットのうち受信モジュールが制御ユニットに結合される方式を概略的に示した斜視図である。
【符号の説明】
【００６６】
１０  冷蔵庫
２０  インターネット
３０  外部サーバー
１１０  受信ユニット
１２０  保存ユニット
１３０  入力ユニット
１４０  制御ユニット
１５０  表示ユニット
【図５】
2008546981.tif 000003
【図１】
2008546981.tif 000004
【図２】
2008546981.tif 000005
【図３】
2008546981.tif 000006
【図４】
2008546981.tif 000007
【図６】
2008546981.tif 000008
【図７】
2008546981.tif 000009
【図８】
2008546981.tif 000010
【図９】
2008546981.tif 000011
【図１０】
2008546981.tif 000012
【図１１】
2008546981.tif 000013
【国際調査報告】
2008546981.tif 000014
2008546981.tif 000015